(57)【特許請求の範囲】
【請求項１】
足の裏の全面に当たるほぼ長円形の足裏部と、
この足裏部の前方にて周縁に繋がり、この足裏部の前方の周縁から後方に湾曲して延びる足甲部と、
フッ素加工または防水加工などの加工処理によって、汚れが付着しにくくされた、または光触媒成分が付着されることによって、付着した汚れが分解される繊維、糸または布で構成された外覆と、
この外覆の内側に形成された遠赤外線を発する繊維で形成された中体と、
この中体のさらに内側またはこの中体の外側に形成された、上記遠赤外線より波長の長い遠赤外線を発する内覆と、を備え、
これら外覆、中体、内覆とで、上記足裏部または足甲部を構成したことを特徴とする足保護具。
【請求項２】
上記中体は、体温より低温で遠赤外線を発生し、
上記内覆は、体温近くの温度で遠赤外線を最も多く発生することを特徴とする請求項１記載の足保護具。
【請求項３】
上記中体と外覆との間または中体または内覆との間には外中体が形成され、この外中体は乾燥作用があって、この乾燥作用は、当該外中体に付けられた湿気を吸収する成分によるものであり、足保護具内側からの汗を乾燥させ、また、この外中体は、金属成分を含有することによって、上記中体及び内覆からの遠赤外線を反射する作用があることを特徴とする請求項１または２記載の足保護具。
【請求項４】
上記内覆の内側または、内覆と中体との間には、内中体が形成され、この内中体は、抗菌作用、乾燥作用または消臭作用があり、
この抗菌作用は、当該内中体に付けられた殺菌成分によるものであり、
この乾燥作用は、当該内中体に付けられた湿気を吸収する成分によるものであり、
この消臭作用は、当該内中体に付けられた臭気を分解する成分によるものであることを特徴とする請求項１、２または３記載の足保護具。
【請求項５】
足の親指の付け根から小指の付け根にかけての上記足裏部の下面には、滑り止め部が形成され、この滑り止め部は摩擦の大きい面状の材質からなり、足裏部の中央より親指側寄りつまり内側寄りの位置に形成されていることを特徴とする請求項１、２、３または４記載の足保護具。
【請求項６】
上記足甲部の外覆と、この足甲部の先端のつま先部の外覆の材質とは異なっており、このつま先部の外覆の材質は、足甲部の外覆の材質より強度が大きく、
このつま先部の外覆は、上記足裏部の外覆、またはかかとに沿って縦に延びるかかと部の外覆と同じ材質であることを特徴とする請求項１、２、３、４または５記載の足保護具。
【請求項７】
上記中体は保温作用があり、この保温作用は当該中体が綿状であることによるものであり、
上記外覆、中体または内覆は、抗菌作用、乾燥作用または消臭作用もあり、
この抗菌作用は、当該外覆、中体または内覆に付けられた殺菌成分または光触媒成分によるものであり、
この乾燥作用は、当該外覆、中体または内覆に付けられた湿気を吸収する成分または湿気を外へ排出する構造によるものであり、
この消臭作用は、当該外覆、中体または内覆に付けられた臭気を分解する成分、当該臭気を吸着する成分、または臭気を発生させる菌を殺菌する成分によるものであり、
上記外覆、中体、内覆、外中体及び内中体はキルティイング加工されて、それぞれがずれない、または中体が外覆及び内覆に対してキルティイング加工されて、中体が外覆及び内覆に対してずれないようになっており、さらにはこのキルティイング加工によって、足保護具の丸洗いが可能である請求項１、２、３、４、５または６記載の足保護具。
【請求項８】
上記足甲部の上縁の足首部は環状になっていて、伸縮自在であり、この伸縮自在の足首部を開いて裏返して、清掃または光を当てて抗菌させることが可能であり、
上記外覆、中体、内覆、外中体、内中体は、可撓性を有するものである請求項１、２、３、４、５、６または７記載の足保護具。
【請求項９】
上記遠赤外線による人体に対する効果は、加温効果であり、
上記中体から発せられる遠赤外線による人体に対する効果は、上記内覆から発せられる遠赤外線による人体に対する効果より、即効性で早く効果があらわれるものであり、しかも内覆から発せられる遠赤外線の量は、中体から発せられる遠赤外線の量より多く、
体温より低温では、上記中体から発せられる遠赤外線による人体に対する効果は、上記内覆から発せられる遠赤外線による人体に対する効果より上回っており、体温近くの温度では、逆に上記内覆から発せられる遠赤外線による人体に対する効果は、上記中体から発せられる遠赤外線による人体に対する効果より上回っており、
上記中体から発せられる遠赤外線の波長は、上記内覆から発せられる遠赤外線の波長より短い請求項１、２、３、４、５、６、７または８記載の足保護具。
【発明の詳細な説明】
【０００１】
【発明の属する技術分野】
本発明は、足保護具に関し、特に足、下腿、上腿、脚などの血行を良くする保護具に関し、航空機内等の屋内で履く足保護具に関する。
【０００２】
【従来の技術】
近年、エコノミークラス症候群と呼ばれる疾患が問題となり、また注目を集めつつある。このエコノミークラス症候群とは、航空機の狭い座席に長時間座り続けることで、足または脚の静脈内に血栓（血の固まり）が生じ、着陸後座席を立つと、この血栓が血流に乗って移動し、肺の動脈が詰まって呼吸困難や心肺停止をもたらす疾患（肺塞栓症）である。
【０００３】
【発明が解決しようとする課題】
本発明の目的は、このようなエコノミークラス症候群を防止するため、航空機の狭い座席に長時間座り続けても、血栓の発生を防止でき、この結果、呼吸困難や心肺停止などの疾患を防止することにある。
【０００４】
【課題を解決するための手段】
上記目的を達成するために、本発明は、フッ素加工または防水加工などの加工処理によって、汚れが付着しにくくされた、または光触媒成分が付着されることによって、付着した汚れが分解される繊維、糸または布で構成された外覆と、  この外覆の内側に形成された遠赤外線を発する繊維で形成された中体と、  この中体のさらに内側またはこの中体の外側に形成された、上記遠赤外線より波長の長い遠赤外線を発する内覆と、を備え、  これら外覆、中体、内覆とで、上記足裏部または足甲部を構成した。これにより、中体から発生された遠赤外線が内覆で遮断されたり吸収されたりして、中体の遠赤外線による効果が低減してしまうことがない。
【０００５】
【発明の実施の形態】
（１）足保護具の断面構造
図１及び図２は、足保護具の布材の断面構造を示す。この布材は、外側から順に、外覆１１、中体１２、内覆１３、最内覆１４が積層されている。外覆１１は、抗菌作用または消臭作用のある繊維（布）で構成（形成）され、可撓性を有している。この外覆１の布は平織りで、使用される糸の番手は比較的大きくて糸の太さは細く、隙間無く織られており、丈夫で破れにくく、汚れにくい繊維（材質）からなっており、防汚作用がある。
【０００６】
この外覆１１は隙間無く織られているので、中体１２の繊維が外覆１１をすり抜けてしまうことがない。外覆１１は、場合によって、フッ素加工、防水加工などにより汚れが付着しにくくなっている。これにより、本足保護具は、防汚作用を発揮し、外からの汚れに対して強くなる。
【０００７】
中体１２は、この外覆１１の内側に積層（構成／形成）され、保温作用及び抗菌作用または消臭作用のある繊維（布）で構成（形成）され、可撓性を有している。この中体１２は、綿状で保温作用が高い繊維（材質）からなっている。これにより、遠赤外線で加温された人体からの熱発散を防止できるし、人体から発生される汗、その他の物質による、雑菌繁殖を防止し押さえ、体臭／悪臭を防止し押さえることができる。
【０００８】
内覆１３は、上記中体１２の内側に積層（構成／形成）され、遠赤外線を発する繊維（布）で構成（形成）され、厚さが厚く、隙間が小さいまたは少なく、可撓性を有している。最内覆１４は、この内覆１３の内側に積層（構成／形成）され、遠赤外線を発するまたは抗菌作用のある繊維（布）で構成（形成）され、厚さが薄く、隙間が大きいまたは多く、可撓性を有している。これにより、内覆から発生された遠赤外線が最内覆で遮断されたり吸収されたりして、内覆による遠赤外線による効果が低減してしまうことがない。また、内覆１３の隙間が小さいまたは少ないので、中体１２の繊維が内覆をすり抜けてしまうことがない。
【０００９】
この遠赤外線による人体に対する効果は、加温の効果である。さらに、４０℃付近つまり人間の体温付近まで高くなると、内覆１３の遠赤外線発生量は最も多くなり、遠赤外線が多量に出て、人体に対する加温の効果がでてくるまでには時間がかかるが、持続性が高い。人体に装着した実験では約３０分で遠赤効果が確かめられた。
【００１０】
上記最内覆１４から発せられる遠赤外線による人体に対する効果は、上記内覆１３から発せられる遠赤外線による人体に対する効果より、即効性で早く効果があらわれるものである。また、上記最内覆１４から発せられる遠赤外線の波長は、上記内覆１３から発せられる遠赤外線の波長より短いものである。遠赤外線の波長が短いほど、人体に対する加温の効果は即効性で早く効果があらわれる。さらに、体温より低温でも、最内覆１４の遠赤外線発生量は多く、遠赤外線が即座に多量に出て、人体に対する加温の効果に即効性がある。人体に装着した実験では約５分で遠赤効果が確かめられた。
【００１１】
図５は、内覆１３と最内覆１４とから発生される遠赤外線（中赤外線／超遠赤外線も含む）の時間変化つまり温度変化を示す。体温より低温では、上記最内覆１４から発せられる遠赤外線の量および遠赤外線による人体に対する効果は、上記内覆１３から発せられる遠赤外線の量および遠赤外線による人体に対する効果より上回っている。また、体温近くの温度では、逆に上記内覆１３から発せられる遠赤外線の量および遠赤外線による人体に対する効果は、上記最内覆１４から発せられる遠赤外線の量および遠赤外線による人体に対する効果より上回っている。よって、全体として長い時間にわたって遠赤外線を受けることができ、相乗的な遠赤効果を得ることができる。
【００１２】
これにより、足保護具を人体に装着した直後は、まず最内覆１４から発せられる遠赤外線による遠赤効果を主に得て、足保護具が体温付近まで暖まってきたら、内覆１３から発せられる遠赤外線による遠赤効果を主に得て、全体として長い時間にわたって遠赤外線を受けることができ、相乗的な遠赤効果を得ることができる。
【００１３】
また、遠赤外線の波長は長いものに対して短いものは、人体または足及び脚または下腿若しくは上腿などの人体組織の内部／深部を迅速に暖め（加温し）、発汗を迅速に良くし、血液の循環も迅速に良くし、血液の粘度を迅速に下げてサラサラにする（下述及び上述において遠赤効果という）。このように人体組織に対して非常に良い効果を与える遠赤外線の波長は、８乃至１４μｍ（ミクロンメートル）であり、普通に良い効果を与える遠赤外線の波長は、４乃至２０μｍ（ミクロンメートル）であり、何らかの良い効果を与える遠赤外線の波長は、１．５μｍ（ミクロンメートル）以上であり、中赤外線、遠赤外線、超遠赤外線が何らかの良い効果を与える。
【００１４】
図６は、遠赤外線の各波長（横軸）当たりの内覆１３及び最内覆１４の発生する遠赤外線量（中赤外線量／超遠赤外線量も含む）を示す。上記内覆１３の発する遠赤外線の波長は、５．０μｍ以上にわたってほぼまんべんなく多く、最内覆１４の発する遠赤外線の波長は、１．５乃至６．０μｍ付近が非常に多い。
【００１５】
したがって、最内覆１４から発せられる赤外線は中赤外線であり、上記内覆１３から発せられる赤外線は遠赤外線及び超遠赤外線である。赤外線は、波長０．７６乃至１．５μｍを近赤外線、波長１．５乃至５．６μｍを中赤外線、波長５．６乃至４００μｍを遠赤外線、波長４００乃至１０００μｍを超遠赤外線という。しかし、本明細書及び特許請求の範囲では、この中赤外線も含めて遠赤外線として説明するし、超遠赤外線も遠赤外線として説明する。
【００１６】
遠赤外線の波長が長いほど、人体組織のより深い所まで浸透してより深部から暖める（保温させる）。したがって、遠赤外線の波長が長いほど、上記遠赤効果が出るまで時間がかるが、いったん遠赤効果がでると、持続性は長く続き、足から本足保護具を取り外しても、遠赤効果は持続する。また、遠赤外線の波長が短いほど、人体組織の比較的表面を暖める（保温させる）。したがって、遠赤外線の波長が短いほど、上記遠赤効果が即座に早く出て、即効性があり、本足保護具に足を入れてからすぐに暖まる（加温される）。よって、全体として非常に広い波長範囲にわたって遠赤外線を受けることができ、相乗的な遠赤効果を得ることができる。
【００１７】
上記最内覆１４の繊維の隙間は内覆１３の隙間より大きいまたは多く、または最内覆１４の厚みは内覆１３の厚みより薄い。これにより、内覆１３からの遠赤外線は、最内覆１４の隙間を容易に通り抜け、人体組織に容易に到達することができる。最内覆１４は平織りであり、糸の間の隙間が大きくなるように織られ、または使用される糸の番手が大きく当該糸の太さが細い。これにより最内覆１４の布（繊維）の厚みは薄く、布（繊維）の隙間が大きくなるまたは多くなる。むろん、厚みは薄くなり、隙間が大きくなるまたは多くなれば、糸の太さは太くてもよい。
【００１８】
内覆１３は１本の糸につぎつぎに輪を作ってからみあわせてつくる編み物とおなじ織り方であり、または糸の間の隙間が小さくなるように織られ、または使用される糸の番手が小さく当該糸の太さが太い。この輪による編み物構造により、内覆１３の布（繊維）の厚みは厚くなり、布（繊維）の隙間が小さくなるまたは少なくなる。むろん、厚みは厚くなり、隙間が小さくなるまたは少なくなれば、糸の太さは細くてもよい。
【００１９】
上記外覆１１、中体１２、内覆１３はキルティイング加工されて、中体１２を間に挟んで、外覆１１と内覆１３とが、互いに交叉する斜めの複数の平行ラインに沿って縫い合わされる。このようなキルティイング加工によって、中体１２が外覆１１及び内覆１３に対してずれないようになるし、足保護具の丸洗いが可能となる。
【００２０】
なお、最内覆１４については、キルティイング加工はされない。したがって、最内覆１４については、キルティイング加工による凹凸が生じない。これにより、足保護具の中に入った足に対して固いゴワゴワした感じがなくなり、柔らかかつソフトで肌触りがよくなる。
【００２１】
（２）外覆１１の具体的材質
上記のような技術的特徴を備える外覆１１としては、例えば、クラレ株式会社により販売されている商品名「シャインアップ（登録商標）ＥＸ」の布がある。シャインアップＥＸは、ポリエステル繊維とナイロン繊維とからなる複合繊維に金属含有セラミックス系の特殊消臭剤が練り込まれており、二酸化チタンによる光触媒反応により消臭と抗菌効果が発揮される。株式会社信州セラミックスから販売されている布などでも同様のものがある。
【００２２】
さらに、外覆１１に用いられる布の繊維材質には、ポリエステル繊維、ナイロン繊維、アクリル繊維などの人工繊維と、絹、木綿などの天然繊維、炭素繊維、ガラス繊維、ゴムその他の何れが用いられて良く、本発明では、その繊維素材そのものの種類を限定するものではない。しかも、その外覆１１は、上記のような抗菌（消臭）作用が施された布でもよいし、抗菌処理が施されていなくても良い。
【００２３】
さらに、下記の遠赤外線による加温／保温効果を発揮するように処理が施されていても良いし、太陽光（紫外線）を遮断する処理や、導電性を有するように処理が施されていても良い。さらにまた、外覆１１は非常に肌触りのよい繊維が用いられると共に、外覆１１全体が、柔らかく作られていてもよい。そして、上述のようにフッ素加工、防水加工などにより、または糸が隙間無く織り込まれることにより、汚れが付着しにくくなっている。他の技術的内容は上記外覆１１のところで説明した通りである。以上の布（繊維）は、他の中体１２、内覆１３、最内覆１４として用いられてもよい。
【００２４】
（３）中体１２の具体的材質
上記のような技術的特徴を備える中体１２としては、例えば、東洋紡績株式会社の商品名「ディスメル」（又はアンノン、登録商標）と呼称される布が使用される。この布については、有限会社高研他が権利者となっている実用新案権第３０５６５７３号、又は第３０６１３２４号の公報内に記載されており、これらのものが購入されて本考案の内布２及び外布などに使用される。
【００２５】
このディスメルは、アクリレート系繊維のアンモニア消臭及び抗菌素材である。すなわち、ｐＨ緩衝能（ｐＨ変化を緩和する能力）を有する架橋アクリル系繊維が配合されている不織布にカルボン基が付着されており、このカルボン基（ＣＯＯＨ）にアンモニア（ＮＨ3）が作用するとイオン結合により無臭のカルボン酸アンモニウム塩（ＣＯＯＨＮＨ4）が生成されることで、アンモニア臭が除去され、アンモニアによる雑菌繁殖を押さえる。これにより、ディスメルは、消臭作用及び抗菌作用を有する。このディスメルはふんわりとした綿状であり、保温作用がある。他の技術的内容は上記中体１２のところで説明した通りである。以上の布（繊維）は、他の外覆１１、内覆１３、最内覆１４として用いられてもよい。
【００２６】
また、中体１４に用いられる繊維材質は、上記外覆１１と同様、人工繊維、天然繊維、ガラス繊維、炭素繊維、ゴムその他の何れが用いられても良く、本発明では、その繊維素材そのものの種類を限定するものではない。しかも、その中体１４は、遠赤外線による加温／保温効果を発揮するように施された布でもよいし、抗菌処理が施された布でもよいし、それら二つの効果を同時に発揮する処理が施された布でもよいし、何れの処理が全く施されていない布が中体１４として用いられてもよいし、太陽光（紫外線）を遮断する処理や、導電性を有するように処理が施されていても良い。さらにまた、中体１４は非常に肌触りのよい繊維が用いられると共に、中体１４全体が、柔らかく作られているのが好ましい。
【００２７】
（４）内覆１３の具体的材質
上記のような技術的特徴を備える内覆１３としては、東洋紡績株式会社より販売されている商品名「セラム（登録商標）Ａ」の布が用いられている。セラムＡは、アクリル繊維に超微粒子セラミックスが内蔵され／練り込まれている。このセラミックスの働きにより、体温近くの摂氏４０度前後において、遠赤外線が外部へと放射されて、人体への加温効果が発揮される。摂氏４０度前後において、遠赤外線の発生量が最も多い。他の技術的内容は上記内覆１３のところで説明した通りである。以上の布（繊維）は、他の外覆１１、中体１２、最内覆１４として用いられてもよい。
【００２８】
また、内覆１３に用いられる繊維材質は、上記外覆１１、中体１２と同様、人工繊維、天然繊維、ガラス繊維、炭素繊維、ゴムその他の何れが用いられても良く、本発明では、その繊維素材そのものの種類を限定するものではない。しかも、その内覆１３は、遠赤外線による加温／保温効果を発揮するように施された布でもよいし、抗菌処理が施された布でもよいし、それら二つの効果を同時に発揮する処理が施された布でもよいし、何れの処理が全く施されていない布が内覆１３として用いられてもよいし、太陽光（紫外線）を遮断する処理や、導電性を有するように処理が施されていても良い。さらにまた、内覆１３は非常に肌触りのよい繊維が用いられると共に、内覆１３全体が、柔らかく作られているのが好ましい。
【００２９】
（５）最内覆１４の具体的材質
上記のような技術的特徴を備える最内覆１４としては、起興株式会社より販売されている商品名「バイオネスト（登録商標）セラ」（特開２０００−１７５６８号公報参照）の布が用いられる。「バイオネストセラ」は、天然鉱石であるゼオライトを加工したセラミックスとその微粒子を天然繊維の表面に堅牢に付着させたものである。このセラミックスとその微粒子の働きによって、体温より低温でも遠赤外線が十分に外部へ放射されて、人体への加温効果が発揮される。他の技術的内容は上記最内覆１４のところで説明した通りである。以上の布（繊維）は、他の外覆１１、中体１２、内覆１３として用いられてもよい。
【００３０】
したがって、この最内覆１４の繊維は、その表面に遠赤外線を発するセラミックスが付着され、一方、上記内覆１３の繊維は、その内部に遠赤外線を発するセラミックスが内蔵され／練り込まれている。これにより、遠赤外線が発生されてくるまでの時間に差が生じ、まず最内覆１４から発せられる遠赤外線による遠赤効果を主に得て、しばらくして内覆１３から発せられる遠赤外線による遠赤効果を主に得て、全体として非常に高い遠赤外線を受けることができ、相乗的な遠赤効果を得ることができる。
【００３１】
また、最内覆１４に用いられる繊維材質は、上記外覆１１、中体１２、内覆１３と同様、人工繊維、天然繊維、ガラス繊維、炭素繊維、ゴムその他の何れが用いられても良く、本発明では、その繊維素材そのものの種類を限定するものではない。しかも、その内覆１３は、遠赤外線による加温／保温効果を発揮するように施された布でもよいし、抗菌処理が施された布でもよいし、それら二つの効果を同時に発揮する処理が施された布でもよいし、何れの処理が全く施されていない布が内覆１３として用いられてもよいし、太陽光（紫外線）を遮断する処理や、導電性を有するように処理が施されていても良い。さらにまた、内覆１３は非常に肌触りのよい繊維が用いられると共に、内覆１３全体が、柔らかく作られているのが好ましい。
【００３２】
上記ゼオライトの化学組成はケイ酸塩のケイ素の一部がアルミニウムに置換された形の縮合酸塩でありＳｉＯ4―ＡｌＯ4の連結四面体における三次元網目構造によるため、空洞を含む構造が形成され、その空洞、或いはその空洞が連結してできる孔路の中に、そのアニオン（陰イオン）と対応すべくカチオン（陽イオン）、更には結晶水が金属イオンの静電気的引力により存在している。骨格のケイ素とアルミニウムの比、又は陽イオンの種類、数等によって各種の構造のゼオライトが存在する。ゼオライトの一般的性質としては、陽イオン交換能、分子フルイ作用、極性物質の吸着、触媒作用等がある。
【００３３】
ゼオライトの結晶水はゼオライトの立体網目構造の中に水分子として存在するため特に沸石水と呼ばれ、加熱などにより脱水してもゼオライトの構造は破壊されず、結晶水が有った箇所はそのまま空洞として残り、ちょうどスポンジ状の構造になり、この空洞に再びガスや水分を強力に吸着する特性がある。
【００３４】
もう一つのゼオライトの大きな特性に塩基置換容量がある。これは陽イオン交換容量「Ｃ．Ｅ．Ｃ：Ｃａｔｉｏｎ  Ｅｘｃｈａｎｇｅ  Ｃａｐａｃｉｔｙ」とも呼ばれ、ちょうど磁石のように陽イオン（ＮＨ4＋・カリウム・ナトリウム・カルシウムなど）を保持したり離したりする力である。特にゼオライトの塩基置換容量は永久荷電と言い、周囲の環境（ＰＨなど）に左右されず、長期間その力を持続する特性がある。
【００３５】
このようにゼオライトには、吸着機能がある。このような吸着材料と光半導体セラミックスが用いられた布において、細菌、ウィルス、かび又は悪臭物質、有害物質等が、まず吸着材料に吸着保持される。その後又は同時に、光照射を受けた光半導体粉末と金属粉末とによる光触媒作用により、細菌、ウィルス、かび等が死滅または減少させられ、悪臭物質等が分解される。更に、吸着されないような細菌その他の物の場合でも、光触媒作用により、発育（増殖）防止や忌避効果等が得られる。
【００３６】
（６）足保護具の全体構成
図３及び図４は、足保護具の外観を示す。この足保護具は左右１対２体あるが、図３及び図４では片方のみ示してある。足裏部１は、可撓性のある平板状で、ほぼ長円形（楕円）またはこの長円形（楕円形）の一部がやや凹んだ形をしている。この足裏部１の上面には、人間の足の裏の全面が当たるようになっている。この足裏部１は、上述の外覆１１、中体１２、内覆１３、最内覆１４からなる１つの布材で形成されている。
【００３７】
この足裏部１の後方（かかと側）の周縁から上方へは、かかと部２が繋がって延びている。このかかと部２は、可撓性のある板状であって、内側に湾曲している。足裏部１の前方（つま先側）の周縁から上方へは、足甲部３が繋がって延び、この足甲部３はさらに足の甲に沿い足首に向かって後方に湾曲して延びている。この足甲部３は、可撓性のある板状であって、内側に湾曲している。
【００３８】
この足甲部３には、当該足甲部３から上方へ湾曲してさらに上方へ延びるとともに、上記かかと部２から上方に延びるほぼ下腿部４が、当該かかと部２及び足甲部３に繋がっている。この下腿部４は、可撓性のある筒状である。この下腿部４の上縁の外覆１１、内覆１３、最内覆１４は互いに内側へ折り返されて縫合されている。これらかかと部２、足甲部３及び下腿部４は、上述の外覆１１、中体１２、内覆１３、最内覆１４からなる１つの布材で一体形成されている。むろん、かかと部２、足甲部３及び下腿部４は、それぞれ別体でもよい。
【００３９】
また、上記足裏部１とかかと部２及び足甲部３とは別体であり、上記足裏部１の周縁とかかと部２及び足甲部３の下縁とは外方に向かって重ね合わされて互いに縫合され、これらの縫合縁には、細長い縁覆い５がさらに縫合され、縫合縁が解れないようになっている。これら足裏部１とかかと部２及び足甲部３とも、上述の外覆１１、中体１２、内覆１３、最内覆１４からなる１つの布材で一体形成されてもよい。
【００４０】
上記足甲部３と上記かかと部２との内側境、つまり内側くるぶし付近に換気穴６が３つ並んで設けられ、この換気穴６は、上記外覆１１、中体１２、内覆１３、最内覆１４を環状形の金具が貫通して形成されている。これにより、換気穴６は両足の内側下方に位置するため、換気穴６が目立つことがなく、デザイン上優れている。この換気穴６は、直径（内直径）４ミリメートルの大きさで、１２．５平方ミリメートルの大きさであり、３つ合計で３７．５平方ミリメートルとなる。
【００４１】
この換気穴６は、足保護具の内気と外気とを入れ替えて換気するためのものである。これにより、足保護具の内部が蒸れることがなくなり、防湿効果を発揮できる。この換気穴６の大きさは、数乃至十数平方ミリメートルであり、この３つの換気穴６の合計の大きさは、数乃至数十平方ミリメートルであり、これより大きいと外の冷たい空気が多量に入り込んでしまうし、これより小さいと換気を十分行うことができず蒸れてしまう。
【００４２】
上記下腿部４の前側のすね付近にはファスナー状の開閉部７が縦に形成され、人間の足を足保護具の中に収納したり脱いだりできるようになっている。この開閉部７は足甲部３付近または足甲部３の先まで延びている。この開閉部７を開いて足保護具を裏返して、清掃または光を当てて抗菌させることができる。この場合、最内覆１４の繊維（布）には、上記外覆１１と同様に、金属含有セラミックス系の特殊消臭剤が練り込まれ、二酸化チタンによる光触媒反応により消臭と抗菌効果が発揮される。
【００４３】
（７）第２実施例
図１５乃至図１９は足保護具の第２実施例を示す。図１５は、足保護具の足裏部１の布材の断面構造を示す。この布材は、外側から順に、外覆２１、外中体２２、中体２３、内覆２４、内中体２５が積層されている。外覆２１は、抗菌作用または消臭作用のある繊維（布）で構成（形成）され、可撓性を有している。この外覆１の布は平織りで、使用される糸の番手は比較的大きくて糸の太さは細く、隙間無く織られており、丈夫で破れにくく、汚れにくい繊維（材質）からなっており、防汚作用がある。
【００４４】
この外覆２１は隙間無く織られているので、外中体２２、中体２３、内覆２４、内中体２５の繊維が外覆１１をすり抜けてしまうことがない。外覆２１は、場合によって、フッ素加工、防水加工などにより汚れが付着しにくくなっている。これにより、本足保護具は、防汚作用を発揮し、外からの汚れに対して強くなる。
【００４５】
この外覆２１としては、上記「シャインアップＥＸ」のほか、バンブー繊維（竹繊維）による布などが用いられる。このバンブー繊維（竹繊維）は、竹からつくられた繊維であり、抗菌、消臭、吸湿（湿気の吸収）、調湿（湿気／湿度の自動調整）、放湿（湿気の排出）、遠赤外線発生、静電気が発生しにくいなどの性質を有する。またバンブー繊維は、光沢性、発色性、熱の放射性にも優れている。さらに、バンブー繊維は、染色性、発色性に優れ、着心地、肌触りもよい。調湿作用は内側の湿度が上がると湿気を外に排出し、内側の湿度が下がると外気の湿気を吸収する作用であって、内側の湿度を一定に保つ作用である。
【００４６】
外中体２２は、乾燥性、吸湿（湿気の吸収）性、調湿（湿気／湿度の調整）性、放湿（湿気の排出）性、抗菌性、消臭性に優れている。この外中体２２は、中体２３と外覆２１との間に形成され、この外中体２２の乾燥作用によって、足保護具内側からの汗を乾燥させる。また、この外中体２２は、中体２１及び内覆２３からの遠赤外線を反射する作用がある。
【００４７】
この外中体２２としては、二酸化チタンのシリカゲルが用いられる。二酸化チタンは、光触媒作用により抗菌作用、殺菌作用を発揮する。この二酸化チタンは金属性があるので、中体２１及び内覆２３からの遠赤外線を一部反射する。
【００４８】
中体２３は、この外中体２２の内側に積層（構成／形成）され、遠赤外線を発するまたは保温作用及び抗菌作用または消臭作用のある繊維（綿、布）で構成（形成）され、厚さが厚く、隙間が大きいまたは多く、可撓性を有している。この中体２３は、体温より低温でも十分に遠赤外線（中赤外線）を発生する。この中体２３は、綿状で保温作用が高い繊維（材質）からなっているので、遠赤外線で加温された人体からの熱発散を防止できるし、人体から発生される汗、その他の物質による、雑菌繁殖を防止し押さえ、体臭／悪臭を防止し押さえることができる。
【００４９】
この中体２３としては、ゼオライトコーティング羊毛綿とエピコモド綿と混毛されたものが用いられる。この混毛比率は、例えば、ゼオライトコーティング羊毛綿が７０％とエピコモド綿が３０％である。ゼオライトコーティングは、上述の最内覆１４の具体的性質で説明したとおりである。エピコモド綿〔布）は、後述の他の実施例で説明する。
【００５０】
内覆２４は、上記中体２３の内側に積層（構成／形成）され、遠赤外線を発する繊維（布）で構成（形成）され、厚さが薄く、隙間が小さいまたは少なく、可撓性を有している。内覆２４から発生される遠赤外線は、中体２４からの遠赤外線より波長が長い。この内覆２４は、体温近くの温度で遠赤外線を最も多く発生する。また、この内覆２４は、上記中体２３より厚みが薄く、隙間が小さいまたは少ない。この内覆２４は上記内覆１３と同じものであり、上述セラムＡまたは後述エピコモドでつくられた布（東洋紡績株式会社から販売されている商品名「アルテマ」でつくられた布）が用いられる。
【００５１】
中体２３からの遠赤外線（中赤外線）は波長が短いが、内覆２４が薄いので、この内覆２４を容易に透過でき、中体２３から発生された遠赤外線が内覆２４で遮断されたり吸収されたりして、中体２３による遠赤外線による効果が低減してしまうことがない。また、内覆２４の隙間が小さいまたは少ないので、中体２３の繊維が内覆２４をすり抜けてしまうことがない。
【００５２】
内中体２５は、この内覆２４の内側に積層（構成／形成）され、抗菌作用、吸湿作用、乾燥作用または消臭作用のある繊維（綿、布）で構成（形成）され、厚さは薄く、隙間が小さくまたは少なく、可撓性を有している。この内中体２５としては、キチンキトサン繊維の布が用いられる。キチンキトサン繊維は、キチンキトサンの成分を繊維表面にコーティングまたは繊維内部に練り込まれている。この繊維表面のコーティングまたは繊維内部の練り込みは、上述のバイオゼストセラまたはセラムＡにおけるセラムックスのコーティングまたは練り込みと同様の手法によって行われる。
【００５３】
このキチンキトサンの成分は、カニや海老の甲羅から抽出された成分である。キチンキトサン繊維の布は、水虫の菌またはメチシリン耐性黄色ブドウ球菌に対する抗菌性、殺菌性が非常に強く、他に抗カビ性、防臭性も有している。また、キチンキトサン繊維の布は、水なじみがよく、夏涼しく、冬暖かく感じ、吸湿（湿気の吸収）、調湿（湿気／湿度の調整）、放湿（湿気の排出）の性質を有する。さらに、キチンキトサン繊維の布は、天然繊維なので皮膚へのなじみもよく、静電気が発生しにくく、洗濯耐性もよく、染色性、光沢性に優れている。
【００５４】
この第２実施例では上記実施例に対して、内覆１３と最内覆１４とが入れ替わり、しかも最内覆１４が中体２３に置き換わっている。この遠赤外線による人体に対する効果は、加温の効果である。さらに、４０℃付近つまり人間の体温付近まで高くなると、内覆２４の遠赤外線発生量は最も多くなり、遠赤外線が多量に出て、人体に対する加温の効果がでてくるまでには時間がかかるが、持続性が高い。人体に装着した実験では約３０分で遠赤効果が確かめられた。
【００５５】
上記中体２３から発せられる遠赤外線による人体に対する効果は、上記内覆２４から発せられる遠赤外線による人体に対する効果より、即効性で早く効果があらわれるものである。また、上記中体２３から発せられる遠赤外線の波長は、上記内覆２４から発せられる遠赤外線の波長より短いものである。遠赤外線の波長が短いほど、人体に対する加温の効果は即効性で早く効果があらわれる。さらに、体温より低温でも、中体２３の遠赤外線発生量は多く、遠赤外線が即座に多量に出て、人体に対する加温の効果に即効性がある。人体に装着した実験では約５分で遠赤効果が確かめられた。
【００５６】
図５は、内覆２４と中体２３とから発生される遠赤外線（中赤外線／超遠赤外線も含む）の時間変化つまり温度変化を示す。体温より低温では、上記中体２３から発せられる遠赤外線の量および遠赤外線による人体に対する効果は、上記内覆２４から発せられる遠赤外線の量および遠赤外線による人体に対する効果より上回っている。また、体温近くの温度では、逆に上記内覆２４から発せられる遠赤外線の量および遠赤外線による人体に対する効果は、上記中体２３から発せられる遠赤外線の量および遠赤外線による人体に対する効果より上回っている。よって、全体として長い時間にわたって遠赤外線を受けることができ、相乗的な遠赤効果を得ることができる。
【００５７】
これにより、足保護具を人体に装着した直後は、まず中体２３から発せられる遠赤外線による遠赤効果を主に得て、足保護具が体温付近まで暖まってきたら、内覆２４から発せられる遠赤外線による遠赤効果を主に得て、全体として長い時間にわたって遠赤外線を受けることができ、相乗的な遠赤効果を得ることができる。
【００５８】
また、遠赤外線の波長が短いほど、人体または足及び脚または下腿若しくは上腿などの人体組織の内部／深部を迅速に暖め（加温し）、発汗を迅速に良くし、血液の循環も迅速に良くし、血液の粘度を迅速に下げてサラサラにする（下述及び上述において遠赤効果という）。このように人体組織に対して非常に良い効果を与える遠赤外線の波長は、８乃至１４μｍ（ミクロンメートル）であり、普通に良い効果を与える遠赤外線の波長は、４乃至２０μｍ（ミクロンメートル）であり、何らかの良い効果を与える遠赤外線の波長は、１．５μｍ（ミクロンメートル）以上であり、中赤外線、遠赤外線、超遠赤外線が何らかの良い効果を与える。
【００５９】
図６は、遠赤外線の各波長（横軸）当たりの内覆２４及び中体２３の発生する遠赤外線量（中赤外線量／超遠赤外線量も含む）を示す。上記内覆２４の発する遠赤外線の波長は、５．０μｍ以上にわたってほぼまんべんなく多く、中体２３の発する遠赤外線の波長は、１．５乃至６．０μｍ付近が非常に多い。
【００６０】
したがって、中体２３から発せられる赤外線は中赤外線であり、上記内覆２４から発せられる赤外線は遠赤外線及び超遠赤外線である。赤外線は、波長０．７６乃至１．５μｍを近赤外線、波長１．５乃至５．６μｍを中赤外線、波長５．６乃至４００μｍを遠赤外線、波長４００乃至１０００μｍを超遠赤外線という。しかし、本明細書及び特許請求の範囲では、この中赤外線も含めて遠赤外線として説明するし、超遠赤外線も遠赤外線として説明する。
【００６１】
遠赤外線の波長が長いほど、人体組織のより深い所まで浸透してより深部から暖める（保温させる）。したがって、遠赤外線の波長が長いほど、上記遠赤効果が出るまで時間がかるが、いったん遠赤効果がでると、持続性は長く続き、足から本足保護具を取り外しても、遠赤効果は持続する。また、遠赤外線の波長が短いほど、人体組織の比較的表面を暖める（保温させる）。したがって、遠赤外線の波長が短いほど、上記遠赤効果が即座に早く出て、即効性があり、本足保護具に足を入れてからすぐに暖まる（加温される）。よって、全体として非常に広い波長範囲にわたって遠赤外線を受けることができ、相乗的な遠赤効果を得ることができる。
【００６２】
本足保護具の中に入った足からの水虫菌及びその他の雑菌は内中体２５で殺菌され、遠赤外線に寄って暖められた足からの汗／湿気は内中体２５、内覆２４、中体２３を透過して徐々に消臭され、外中体２２で乾燥される。内中体２５及び内覆２４は薄く、中体２３の隙間は大きいまたは多いので、足からの汗はスムーズに外中体２２に達する。外中体２２は二酸化チタンシリカゲルであるが、この上に中体２３と内覆２４と内中体２５が積層されているので、二酸化チタンシリカゲルの粒粒感が足の裏に伝わることがない。
【００６３】
また、外中体２２を越えて来た汗／湿気は、外覆２１の調湿機能により外へ排出される。また、本足保護具から足が出されて、当該足保護具の中が十分に乾燥して、内中体２５と外覆２１との間が外中体２２によって乾燥し過ぎても、外中体２２が外気から湿気を吸収するので乾燥し過ぎることはない。
【００６４】
図１８は、内中体２５の消臭効果を示す。ホルムアルデヒドを２０ｐｐｍ満たした密閉容器の中に１２ｃｍ平方の内中体２５（キチンキトサン繊維）片を入れると、３０分後に５ｐｐｍ、６０分後に４．５ｐｐｍと低下したことが確かめられた。つまり、１時間で７７．５％のホルムアルデヒドの消臭原因物質除去効果が確かめられた。ホルムアルデヒドは悪臭の原因物質とされているもので、これにより内中体２５（キチンキトサン繊維）の消臭効果が確かめられた。
【００６５】
図１９は、内中体２５の消臭効果を示す。アンモニアを５０ｐｐｍ満たした密閉容器の中に１２ｃｍ平方の内中体２５（キチンキトサン繊維）片を入れると、３０分後に６ｐｐｍ、６０分後に５ｐｐｍと低下したことが確かめられた。つまり、１時間で９０％のアンモニアの消臭原因物質除去効果が確かめられた。アンモニアも悪臭の原因物質とされているもので、これにより内中体２５（キチンキトサン繊維）の消臭効果が確かめられた。
【００６６】
図１６は、足保護具の外観を示す。足甲部３は短く、下腿部４は第２実施例では存在しない。足甲部３の先端はつま先部２６となっている。足甲部３の布材は、外側から順に、外覆２１、中体２３、内覆２４が積層されている。足甲部３における外覆２１、中体２３、内覆２４は、上記足裏部１における外覆２１、中体２３、内覆２４と同じである。例えば、外覆２１としては上記「シャインアップＥＸ」などが用いられ、中体２３としては上記ゼオライトコーティング羊毛綿とエピコモド綿と混毛されたものが用いられ、内覆２４としては上記「アルテマ」「セラムＡ」のほか、「サニター３０」が用いられる。
【００６７】
「サニター３０」はクラレ株式会社の販売している商品名であり、特殊銀系セラミックスがポリエステル繊維の溶融紡糸の際に練り込まれた抗菌防臭繊維である。この「サニター３０」の特殊銀系セラミックスは、抗菌剤であり、抗菌効果のある金属、例えば、銀、亜鉛その他の金属を含有したセラミックスである。この特殊銀系セラミックスによる増殖を抑える効果のある細菌は、枯草菌、緑膿菌（褥瘡の原因菌）、肺炎枯菌、大腸菌、サルモネラ菌、腸炎ビブリオ菌、白癬菌、メチシリン耐性黄色ブドウ球菌（ＭＲＳＡ）などである。
【００６８】
上記つま先部２６の布材は、外側から順に、外覆２１、中体２３、内覆２４が積層されている。足甲部３における外覆２１、中体２３、内覆２４は、上記足裏部１または足甲部３における外覆２１、中体２３、内覆２４と同じである。例えば、外覆２１としては上記バンブー繊維布などが用いられ、中体２３としては上記ゼオライトコーティング羊毛綿とエピコモド綿と混毛されたものが用いられ、内覆２４としては上記「アルテマ」「セラムＡ」「サニター３０」が用いられる。
【００６９】
このつま先部２６の外覆２１としては、バンブー繊維布のほか、「シャインアップＥＸ」でもよいし、これらバンブー繊維布及び「シャインアップＥＸ」を積層したものでもよいし、この積層の間に上記「アルテマ」を挟んだものでもよい。このように「シャインアップＥＸ」の上に「アルテマ」及びバンブー繊維布を積層させると、つま先部２６が厚くなって足のつま先をより厳重に保護することができる。これら足甲部３及びつま先部２６は、上記足裏部１の布材と同様に、上記外覆２１、外中体２２、中体２３、内覆２４、内中体２５がこのまま又は入れ替えられて積層されてもよい。
【００７０】
かかと部２及び足甲部３には、乾燥作用のある外中体２２が設けられていないが、足裏部１には、外中体２２が設けられている。足裏部１はほとんど床に密着しているので蒸れやすく、足保護具の外に汗が発散しにくいが、この外中体２２によって十分に乾燥されることができる。これに対し、かかと部２及び足甲部３では足保護具の外に汗が発散し易いので、外中体２２がなくても蒸れることがない。
【００７１】
かかと部２の後部中央にはかかとにそって縦に延びるかかと引き上げ部２８が縫いつけられている。このかかと引き上げ部２８の布材は、上記バンブー繊維布である。足甲部３の先端のつま先部２６及び足裏部１の外覆２１及びかかと引き上げ部２８の材質はともに同じ「バンブー繊維布」であるが、上記足甲部３の外覆２１の材質は「シャインアップＥＸ」であり、両者の材質は異なっていて、このつま先部２６及び足裏部１の外覆２１及びかかと引き上げ部２８の材質は、足甲部３の外覆２１の材質より強度が大きく、耐久性に優れている。したがって、かかとを足保護具に入れるとき、かかと引き上げ部２８を引いても容易に破損しない。「シャインアップＥＸ」布よりバンブー繊維布の方が、汚れが付着しにくいので、つま先部２６が汚れることもない。
【００７２】
図１７は、足保護具の下面（底面）を示す。足の親指の付け根から小指の付け根にかけての上記足裏部１の外覆２１の下面には、滑り止め部２７が形成されている。この滑り止め部２７は摩擦の大きい面状の材質、例えばなめし皮を裏返したものからなり、足裏部１の中央より親指側つまり内側にやや寄ったよった位置に縫いつけられたり接着されたりされている。これにより足の親指の付け根付近この滑り止め部２７は、足の親指の付け根から小指の付け根にかけての足指の付け根部をほぼ覆う大きさ及び位置に設けられる。具体的には幅約３ｃｍ長さ約７ｃｍである。
【００７３】
このような滑り止め部２７は小さすぎると滑り止めの効果がなくなり、逆に大きすぎると歩行するときに違和感を感じたりスムーズに歩けなかったりして、つまずきやすくなる。なお、この滑り止め部２７は、つま先まで延出されてもよい。このような滑り止め部２７と足裏部１の外覆２１との間にはポリエステルの薄い布が間に挟まれて接着されたり縫合されたりする。接着にあたっては、ポリエステルの薄い布に接着剤が塗布され、滑り止め部２７が接合される。
【００７４】
上記足甲部３の上縁の足首部２９は環状になっていて、この環の内部にはゴムが縫いつけられ、伸縮自在なっている。の伸縮自在の足首部２９を開いて裏返して、清掃または光を当てて抗菌させることが可能である。
【００７５】
上記外覆２１、外中体２２、中体２３、内覆２４、内中体２５の全部または一部はキルティイング加工されて、中体２３を間に挟んで、外覆２１と内覆２４または内中体２５とが、互いに交叉する斜めの複数の平行ラインに沿って縫い合わされる。このようなキルティイング加工によって、中体２３が外覆２１及び内覆２４または内中体２５に対してずれないようになるし、足保護具の丸洗いが可能となる。
【００７６】
なお、内中体２５については、場合によって、キルティイング加工しなくてもよい。この場合、内中体２５については、キルティイング加工による凹凸が生じない。これにより、足保護具の中に入った足に対して固いゴワゴワした感じがなくなり、柔らかかつソフトで肌触りがよくなる。内覆２４と内中体２５との積層順を入れ替えて、内覆２４を最内側にしてもよいし、外中体２２と中体２３または内覆２４との積層順を入れ替えてもよいし、足裏部１の内覆２４は省略されてもよい。
【００７７】
この場合、中体２３を内覆２４と入れ替えてもよい。この場合「セラムＡ」を綿状に加工して膨らませたものを内覆２４とし、中体２３を図１乃至図４の最内覆１４に置き換えてもよい。これにより、本第２実施例でも、上記図１乃至図４の実施例と同様の効果を得ることができる。また、内覆２４は、上記「セラムＡ」の外側に「サニタ３０」を重ねてもよいし、上記「シャインアップ」の外側に上記「アルテマ」さらに上記「バンブー繊維布」を重ねてもよい。
【００７８】
また、内覆２４の代わりに、上記図１乃至図４の最内覆１４が用いられてもよいし、中体２３の代わりに、図１乃至図４の中体１２が用いられてもよい。逆に、上記図１乃至図４の最内覆１４の代わりに、第２実施例の内覆２４が用いられてもよいし、図１乃至図４の中体１２の代わりに、第２実施例の中体２３が用いられてもよい。外覆２１、外中体２２、中体２３、内覆２４、内中体２５の積層順番は一部または全部入れ替えられてもよい。
【００７９】
他の構成及び作用は上記図１乃至図４の実施例と同じである。例えば、足甲部３に開閉部７を設けたり、換気穴６を設けたりしてもよい。また、本第２実施例では、かかと部２を省略してスリッパ型にしてもよいし、図１乃至図４の実施例のように下腿部４を設けてもよい。第２実施例の各部１、２または３の布材の構造は、図１乃至図４の実施例の布材の構造と同じでもよいし、図１乃至図４の実施例の布材の構造は、第２実施例の各部１、２または３の布材の構造と同じでもよい。要は、これら両実施例の一部を相互に入れ替えてもよい。
【００８０】
（８）本足保護具の使用による効果
本足保護具を使用すると以下のような効果が得られる。上述のように、足保護具を人体に装着した直後は、まず最内覆１４／中体２３から発せられる遠赤外線による遠赤効果を主に得て、足保護具が体温付近まで暖まってきたら、内覆１３から発せられる遠赤外線による遠赤効果を主に得て、全体として非常に多い遠赤外線を受けることができ、相乗的な遠赤効果を得ることができる。
【００８１】
また、本足保護具を使用すると、６０％以上の水分子組織を持つ動植物に対し、最も吸収性と深達力が発揮され、水分子を励起して細胞を活性化する。成長健康に良い波長は、８〜１４ミクロンの遠赤外線であるとされており、この遠赤外線は人体組織の深部にまで達する深達作用によって、体の内部から暖め発汗をうながす。これによって、本足保護具を使用すると、血液の循環を良くすると共に新陳代謝が活発になり美容効果や疲労回復、内蔵機能促進やコレステロールの減少などの効果が得られる。
【００８２】
さらに、本足保護具を使用すると、人体または足及び脚または下腿若しくは上腿などの人体組織の内部／深部を暖め（加温し）、発汗を良くし、血液の循環も良くし、血液の粘度を下げてサラサラにする。このサラサラの血液では、赤血球が互いに付着しあう連鎖が解消され、１つ１つの赤血球がバラバラにされ、血栓などが消滅される。
【００８３】
図７乃至図１４は、本足保護具を使用する前と使用して６０分経過後での血液の状態を拡大撮影したものであり、それぞれ２０代、３０代、４０代、５０代の年齢の人間の血液を撮影したものである。このうち、図７、図９、図１１、図１３は、２０代、３０代、４０代、５０代における、本足保護具を使用する前の血液の状態を示す。図８、図１０、図１２、図１４は、同じ２０代、３０代、４０代、５０代の人間における、本足保護具を使用して６０分経過後の血液の状態を示す。
【００８４】
この撮影写真は、バイタルチェックと呼ばれる手法による撮影であり、バイタルチェックとは、指先から取った血液を顕微鏡で拡大して撮影するものである。これによれば、本足保護具の使用前では、赤血球が互いに付着しあう連鎖状態になっている。このような状態では、赤血球本来の機能を発揮できず、種々の疾患の原因となり、特に血栓の原因となり、肺塞栓症や心筋梗塞などを引き起こすおそれがある。
【００８５】
本足保護具を使用して６０分後では、赤血球が互いに付着しあう連鎖状態が解消され、１つ１つの赤血球がバラバラにされ、血栓などが消滅され、肺塞栓症や心筋梗塞などを引き起こすおそれはなくなる。したがって、本足保護具を飛行機に搭乗中に使用すれば、航空機の狭い座席に長時間座り続けても、血栓の発生を防止でき、上述のエコノミークラス症候群を防止できる。
【００８６】
本明細書及び特許請求の範囲で使用される文言「抗菌」は、抗菌のほか、細菌／微害虫を死滅させる「殺菌」「殺虫」「消毒」、細菌／微害虫の数を減らす「減菌」、細菌／微害虫の増殖を抑制することも含む。また本明細書及び特許請求の範囲で使用される文言「消臭」は、消臭のほか、臭気の吸着、臭気（アンモニア等の不快臭）そのものの分解、臭気を中和させる物質または成分の発生、臭気を発生させる菌を殺すことを含む。さらに本明細書及び特許請求の範囲で使用される文言「加温」は、どのような手段によるも、人体または人体の一部を直接または間接に暖めることの全てを含む。
【００８７】
さらに本明細書及び特許請求の範囲で使用される文言「保温」は、冷気の進入防止／体熱が外気に奪われることの防止などの防寒その他、人間の体温の低下を直接または間接に防ぐことを含む。また本明細書及び特許請求の範囲で使用される文言「吸湿」は、吸湿のほか、乾燥、防湿、除湿などを含む。本明細書及び特許請求の範囲で使用される文言「防汚」は、汚れにくい、汚れの付着の防止、付着した汚れの分解、付着した汚れを洗浄で除去しやすくするなどの意味を含む。
【００８８】
（９）他の実施例
本発明は、上記実施例に限定されず、種々変更可能である。例えば、本足保護具１対に対して、座布団や膝掛けが連結されていてもよい。さらには、肢体不自由者の利用する車椅子に、本足保護具１対が取り付けられてもよい。また、本足保護具は、航空機の中で利用される他、オフィス、家庭など、保温／加温をはかる必要のあるところならば、どのようなところで利用されてもよい。
【００８９】
さらに、外覆１１、中体１２、内覆１３、最内覆１４として、上述の抗菌作用、保温作用、加温作用、消臭作用、防湿作用、防汚作用のうち、２以上の作用を同時に発揮する布が用いられても良い。また、上記外覆１１、中体１２、内覆１３、最内覆１４として、各種の布／編み物の他、綿、導電性のある布、スポンジ、ウレタン、クッション、ゴム、蕎麦殻、糸くずの固まり、ナイロンなどの合成繊維又は天然繊維で作られた布、発泡スチロール、積層されたポリエステルフィルムの間に気泡が封入されたクッション材、遠赤外線を反射する金属繊維による布などでもよい。
【００９０】
さらに、外覆１１、中体１２、内覆１３、最内覆１４として、導電性のある繊維（炭素繊維又は、炭素、銅、鉄、ニッケルなどの導電性のある金属粉末が繊維内に練り込まれたものなど）が用いられれば、静電気の発生と、静電気による電機部品の破壊を未然に防止できる四肢保護具とすることができる。なお、この場合、四肢保護具の布と地表とを電気的に結ぶアース線が必要な場合もありうる。また、それらの布に、難燃性（不燃性）の繊維が用いられても良い。
【００９１】
また、上記外覆１１、中体１２、内覆１３、最内覆１４として、特に中体１２として、東洋紡績株式会社より販売されている商品名「エピコモド」で作られた綿が使用されてもよい。この綿は、第４級アンモニウム塩系の抗菌剤が使用されており、メチシリン耐性黄色ブドウ球菌、黄色ぶどう球菌、肺炎桿菌、大腸菌、緑膿菌などの細菌の増殖を抑制する効果がある。この細菌の増殖を押さえる働きにより、細菌による臭気の発生を抑制できる間接的な効果もある。また、上記セラムＡと同じ遠赤外線を発生する。その他、光半導体粉末及び金属粉末からなる光触媒と、セラミックス粉末等の吸着材とを組み合わせたものによって発揮される抗菌作用が施された布が用いられてもよい。
【００９２】
上記換気穴６の数は３個以外でもよく、換気穴６は、内側くるぶし付近のほか、外側くるぶし付近。つま先付近、足の甲付近、かかと付近、アキレス腱付近、ふくらはぎ付近、すね付近に設けられてもよいし、これらの場所の２カ所以上、本足保護具全体に設けられてもよい。換気穴６の形状は、丸形、×形、三角形、方形、多角形、星形、スリット形、長円形、扉形など、どのような形状でもでもよい。
【００９３】
上記開閉部７は、すねから足の甲にかけて設けられるほか、内側くるぶしから内側ふくらはぎにかけて、外側くるぶしから外側ふくらはぎにかけて、かかとから後側ふくらはぎにかけてなどどこに設けられてもよい。開閉部７はファスナーのほか、着脱自在な面状テープ、紐、バンド、フック、ゴム布などでもよい。ゴム布は、下腿部４の一部に縦に介在され、横方向に伸縮自在で、下腿部４を周縁に沿って伸縮させる。図１乃至図４の実施例において下腿部４または／及びかかと部２が省略されてもよい。
【００９４】
（１０）他の発明
［Ａ］  本足保護具は、汚れにくい繊維で形成された外覆を備える。これにより、本足保護具は、外からの汚れに対して強くなる。
【００９５】
［Ｂ］  本足保護具は、上記外覆の内側に形成された保温作用及び抗菌作用または消臭作用のある繊維で形成された中体を備える。これにより、遠赤外線で加温された人体からの熱発散を防止できるし、人体から発生される汗、その他の物質による、雑菌繁殖を防止し押さえ、体臭／悪臭を防止し押さえることができる。
【００９６】
［Ｃ］  本足保護具は、上記中体の内側に形成された遠赤外線を発する繊維で形成され、隙間の小さいまたは少ない内覆と、この内覆のさらに内側に形成された遠赤外線を発するまたは抗菌作用のある繊維で形成され、隙間の大きいまたは多い最内覆とを備える。これにより、内覆から発生された遠赤外線が最内覆で遮断されたり吸収されたりして、内覆による遠赤外線による効果が低減してしまうことがない。また、内覆の隙間が小さいまたは少ないので、中体の繊維が内覆をすり抜けてしまうことがない。
【００９７】
［Ｄ］  本足保護具は、上記外覆、中体、内覆、最内覆とで、上記足裏部、足甲部、かかと部、下腿部を構成し、これら外覆、中体、内覆、最内覆を貫通して形成された換気穴を備える。これにより、本足保護具の内気と外気との換気を十分行うことができ、本足保護具内部の蒸れを防止できる。
【００９８】
［Ｅ］  本足保護具は、上記中体の内側に形成された遠赤外線を発する繊維で形成され、体温近くの温度で遠赤外線を最も多く発生する内覆と、この内覆のさらに内側に形成された遠赤外線であって、体温より低温でも十分に遠赤外線を発生する最内覆とを備える。これにより、足保護具を人体に装着した直後は、まず最内覆から発せられる遠赤外線による遠赤効果を主に得て、足保護具が体温付近まで暖まってきたら、内覆から発せられる遠赤外線による遠赤効果を主に得て、全体として長い時間にわたって遠赤外線を受けることができ、相乗的な遠赤効果を得ることができる。
【００９９】
［Ｆ］  本足保護具は、上記中体の内側に形成された遠赤外線を発する繊維で形成された内覆と、この内覆のさらに内側に形成された遠赤外線であって、上記遠赤外線より波長の長い遠赤外線を最内覆とを備える。これにより、遠赤外線の波長が長いほど、人体組織のより深い所まで浸透してより深部から暖め（保温され）、上記遠赤効果が出るまで時間がかるが、いったん遠赤効果がでると、持続性は長く続き、足から本足保護具を取り外しても、遠赤効果は持続する。一方、遠赤外線の波長が短いほど、人体組織の比較的表面を暖め（保温させ）、遠赤外線の波長が短いほど、上記遠赤効果が即座に早く出て、即効性があり、本足保護具に足を入れてからすぐに暖まる（加温される）。よって、全体として非常に広い波長範囲にわたって遠赤外線を受けることができ、相乗的な遠赤効果を得ることができる。
【０１００】
［Ｇ］  本足保護具の上記換気穴は上記足甲部と上記かかと部との内側境、つまり内側くるぶし付近に複数設けられている。これにより、換気穴は両足の内側下方に位置するため、換気穴が目立つことがなく、デザイン上優れている。
【０１０１】
［Ｈ］  本足保護具の上記換気穴の１つは数乃至十数平方ミリメートルの大きさで、複数の換気穴の合計は数乃至数十平方ミリメートルの大きさである。これにより、換気穴が大きすぎて外の冷たい空気が多量に入り込んでしまうことがないし、換気穴が小さすぎて換気を十分行うことができず蒸れてしまうことがない。
【０１０２】
［Ｉ］  本足保護具の上記中体は綿状で保温作用が高い。これにより、遠赤外線で加温された人体からの熱発散を防止できる。
【０１０３】
［Ｊ］  本足保護具の上記外覆は、抗菌作用または消臭作用もある。これにより、外覆に外から付着した汚れや汗、その他の物質のほか、内から発生される汗、その他の物質による、雑菌繁殖を防止し押さえ、体臭／悪臭を防止し押さえることができる。
【０１０４】
［Ｋ］  本足保護具の上記外覆の上記外覆、中体、内覆はキルティイング加工される。これにより、中体が外覆及び内覆に対してずれず、さらにはこのキルティイング加工によって、足保護具の丸洗いが可能となる。
【０１０５】
［Ｌ］  本足保護具の上記開閉部は足甲部まで、または足裏部付近まで延びている。これにより、この開閉部を開いて裏返して、清掃または光を当てて抗菌させることができる。
【０１０６】
［Ｍ］  本足保護具の上記外覆、中体、内覆、最内覆は、可撓性を有するものである。これにより、本足保護具の人体への着脱が容易となる。
【０１０７】
［Ｎ］  本足保護具の上記遠赤外線による人体に対する効果は、加温効果である。これにより、人体組織の内部／深部を暖め（加温し）、発汗を良くし、血液の循環も良くし、血液の粘度を下げてサラサラにする（遠赤効果）。
【０１０８】
［Ｏ］  本足保護具の上記最内覆から発せられる遠赤外線による人体に対する効果は、上記内覆から発せられる遠赤外線による人体に対する効果より、即効性で早く効果があらわれるものであり、内覆から発せられる遠赤外線の量は、最内覆から発せられる遠赤外線の量より多い。これにより、まず最内覆から発せられる遠赤外線による遠赤効果を主に得て、しばらくして内覆から発せられる遠赤外線による遠赤効果を主に得て、全体として長い時間にわたって遠赤外線を受けることができ、相乗的な遠赤効果を得ることができる。
【０１０９】
［Ｐ］  本足保護具は、体温より低温では、上記最内覆から発せられる遠赤外線による人体に対する効果は、上記内覆から発せられる遠赤外線による人体に対する効果より上回っており、体温近くの温度では、逆に上記内覆から発せられる遠赤外線による人体に対する効果は、上記最内覆から発せられる遠赤外線による人体に対する効果より上回っている。これにより、まず最内覆から発せられる遠赤外線による遠赤効果を主に得て、しばらくして内覆から発せられる遠赤外線による遠赤効果を主に得て、全体として長い時間にわたって遠赤外線を受けることができ、相乗的な遠赤効果を得ることができる。
【０１１０】
［Ｑ］  本足保護具の上記最内覆の繊維は、その表面に遠赤外線を発するセラミックスが付着され、上記内覆の繊維は、その内部に遠赤外線を発するセラミックスが内蔵され／練り込まれている。これにより、遠赤外線が発生されてくるまでの時間に差が生じ、まず最内覆から発せられる遠赤外線による遠赤効果を主に得て、しばらくして内覆から発せられる遠赤外線による遠赤効果を主に得て、全体として長い時間にわたって遠赤外線を受けることができ、相乗的な遠赤効果を得ることができる。
【０１１１】
［Ｒ］  本足保護具の上記最内覆から発せられる遠赤外線の波長は、上記内覆から発せられる遠赤外線の波長より短い若しくは長いまたは短いものまたは長いものがあり、上記最内覆から発せられる赤外線は中赤外線であり、上記内覆から発せられる赤外線は遠赤外線である。これにより、遠赤外線の波長が長いほど、人体組織のより深い所まで浸透してより深部から暖め（保温され）、上記遠赤効果が出るまで時間がかるが、いったん遠赤効果がでると、持続性は長く続き、足から本足保護具を取り外しても、遠赤効果は持続する。一方、遠赤外線の波長が短いほど、人体組織の比較的表面を暖め（保温させ）、遠赤外線の波長が短いほど、上記遠赤効果が即座に早く出て、即効性があり、本足保護具に足を入れてからすぐに暖まる（加温される）。よって、全体として非常に広い波長範囲にわたって遠赤外線を受けることができ、相乗的な遠赤効果を得ることができる。
【０１１２】
［Ｓ］  足の裏の全面に当たるほぼ長円形の足裏部と、  この足裏部の前方にて周縁に繋がり、この足裏部の前方の周縁から後方に湾曲して延びる足甲部と、上記足裏部の後方にて周縁に繋がり、この足裏部の後方の周縁からほぼ上方に延びるかかと部と、  これら足甲部から上方へ湾曲してさらに上方へ延びるとともに、上記かかと部から上方へ延びるほぼ筒状の下腿部と、  汚れにくい繊維で形成された外覆と、  この外覆の内側に形成された保温作用及び抗菌作用または消臭作用のある繊維で形成された中体と、  この中体の内側に形成された、遠赤外線を発する繊維で形成され、隙間の小さいまたは少ない内覆と、  この内覆のさらに内側に形成された、遠赤外線を発するまたは抗菌作用のある繊維で形成され、隙間の大きいまたは多い最内覆と、  これら外覆、中体、内覆、最内覆とで、上記足裏部、足甲部、かかと部、下腿部を構成し、  これら外覆、中体、内覆、最内覆を貫通して形成された換気穴と、  上記下腿部に縦に形成され、人間の足及び下腿を収納可能とするための開閉部とを備えた足及び下腿保護具。
【０１１３】
［Ｔ］  足の裏の全面に当たるほぼ長円形の足裏部と、  この足裏部の前方にて周縁に繋がり、この足裏部の前方の周縁から後方に湾曲して延びる足甲部と、上記足裏部の後方にて周縁に繋がり、この足裏部の後方の周縁からほぼ上方に延びるかかと部と、  これら足甲部から上方へ湾曲してさらに上方へ延びるとともに、上記かかと部から上方へ延びるほぼ筒状の下腿部と、  汚れにくい繊維で形成された外覆と、  この外覆の内側に形成された保温作用及び抗菌作用または消臭作用のある繊維で形成された中体と、  この中体の内側に形成された、遠赤外線を発する繊維で形成された内覆と、  この内覆のさらに内側に形成された遠赤外線であって、上記遠赤外線より波長の長い遠赤外線を最内覆と、  これら外覆、中体、内覆、最内覆とで、上記足裏部、足甲部、かかと部、下腿部を構成し、  これら外覆、中体、内覆、最内覆を貫通して形成された換気穴と、  上記下腿部に縦に形成され、人間の足及び下腿を収納可能とするための開閉部とを備えた足及び下腿保護具。
【０１１４】
［Ｕ］  足の裏の全面に当たるほぼ長円形の足裏部と、  この足裏部の前方にて周縁に繋がり、この足裏部の前方の周縁から後方に湾曲して延びる足甲部と、上記足裏部の後方にて周縁に繋がり、この足裏部の後方の周縁からほぼ上方に延びるかかと部と、  これら足甲部から上方へ湾曲してさらに上方へ延びるとともに、上記かかと部から上方へ延びるほぼ筒状の下腿部と、  汚れにくい繊維で形成された外覆と、  この外覆の内側に形成された保温作用及び抗菌作用または消臭作用のある繊維で形成された中体と、  この中体の内側に形成された、遠赤外線を発する繊維で形成され、体温近くの温度で遠赤外線を最も多く発生する内覆と、  この内覆のさらに内側に形成された遠赤外線であって、体温より低温でも十分に遠赤外線を発生する最内覆と、  これら外覆、中体、内覆、最内覆とで、上記足裏部、足甲部、かかと部、下腿部を構成し、  これら外覆、中体、内覆、最内覆を貫通して形成された換気穴と、  上記下腿部に縦に形成され、人間の足及び下腿を収納可能とするための開閉部とを備えた足及び下腿保護具。
【０１１５】
［Ｖ］  上記換気穴は上記足甲部と上記かかと部との内側境、つまり内側くるぶし付近に複数設けられ、  この換気穴の１つは数乃至十数平方ミリメートルの大きさで、複数の換気穴の合計は数乃至数十平方ミリメートルの大きさである請求項Ｓ、ＴまたはＵ記載の足及び下腿保護具。
【０１１６】
［Ｗ］  上記中体は綿状で保温作用が高く、  上記外覆は、抗菌作用または消臭作用もあり、  上記外覆、中体、内覆はキルティイング加工され、中体が外覆及び内覆に対してずれないようになっており、さらにはこのキルティイング加工によって、足及び下腿保護具の丸洗いが可能である請求項Ｓ、Ｔ、ＵまたはＶ記載の足及び下腿保護具。
【０１１７】
［Ｘ］  上記開閉部は足甲部まで、または足裏部付近まで延びており、この開閉部を開いて裏返して、清掃または光を当てて抗菌させることが可能であり、  上記外覆、中体、内覆、最内覆は、可撓性を有するものである請求項Ｓ、Ｔ、Ｕ、ＶまたはＷ記載の足及び下腿保護具。
【０１１８】
［Ｙ］  上記遠赤外線による人体に対する効果は、加温効果であり、  上記最内覆から発せられる遠赤外線による人体に対する効果は、上記内覆から発せられる遠赤外線による人体に対する効果より、即効性で早く効果があらわれるものであり、しかも内覆から発せられる遠赤外線の量は、最内覆から発せられる遠赤外線の量より多く、  体温より低温では、上記最内覆から発せられる遠赤外線による人体に対する効果は、上記内覆から発せられる遠赤外線による人体に対する効果より上回っており、体温近くの温度では、逆に上記内覆から発せられる遠赤外線による人体に対する効果は、上記最内覆から発せられる遠赤外線による人体に対する効果より上回っており、  上記最内覆の繊維は、その表面に遠赤外線を発するセラミックスが付着され、上記内覆の繊維は、その内部に遠赤外線を発するセラミックスが内蔵され／練り込まれ、  上記最内覆から発せられる遠赤外線の波長は、上記内覆から発せられる遠赤外線の波長より短い若しくは長いまたは短いものまたは長いものがあり、上記最内覆から発せられる赤外線は中赤外線であり、上記内覆から発せられる赤外線は遠赤外線である請求項Ｓ、Ｔ、Ｕ、Ｖ、ＷまたはＸ記載の足及び下腿保護具。
【０１１９】
本発明の足及び下腿保護具は、足及び下腿に遠赤外線を当てて血行を良くする。汚れにくい外覆の内側に保温作用及び抗菌作用のある中体を形成し、この中体の内側に遠赤外線を発する隙間の小さいまたは少ない内覆を形成し、この内覆のさらに内側に遠赤外線を発するまたは抗菌作用のある隙間の大きいまたは多い最内覆を形成し、これらを足形として人間の足及び下腿を収納した。内覆から発生された遠赤外線が最内覆で遮断されたり吸収されたりして、内覆による遠赤外線による効果が低減してしまうことがなく、相乗的な遠赤効果が達成される。
出願当初の特許請求の範囲は以下のとおりであった。ただし、誤記などは訂正した。
[１]足の裏の全面に当たるほぼ長円形の足裏部と、  この足裏部の前方にて周縁に繋がり、この足裏部の前方の周縁から後方に湾曲して延びる足甲部と、  汚れにくい繊維で形成された外覆と、  この外覆の内側に形成された遠赤外線を発する繊維で形成された中体と、  この中体のさらに内側またはこの中体の外側に形成された、上記遠赤外線より波長の長い遠赤外線を発する内覆と、を備え、  これら外覆、中体、内覆とで、上記足裏部または足甲部を構成したことを特徴とする足保護具。
[２]上記中体は、体温より低温で遠赤外線を発生し、  上記内覆は、体温近くの温度で遠赤外線を最も多く発生することを特徴とする請求項１記載の足保護具。
[３] 上記内覆及び中体のうち、より内側にあるもの方の厚みがより薄い、または当該内覆または当該中体を構成する各糸または各繊維の隙間が小さいまたは少ないことを特徴とする請求項１または２記載の足保護具。
[４]上記中体と外覆との間または中体または内覆との間には外中体が形成され、この外中体は乾燥作用があって、足保護具内側からの汗を乾燥させ、また、この外中体は、上記中体及び内覆からの遠赤外線を反射する作用があることを特徴とする請求項１、２または３記載の足保護具。
[５]上記内覆の内側または、内覆と中体との間には、内中体が形成され、この内中体は、抗菌作用、乾燥作用または消臭作用があり、  上記外覆は湿度を調節する作用があることを特徴とする請求項１、２、３または４記載の足保護具。
[６] 足の親指の付け根から小指の付け根にかけての上記足裏部の下面には、滑り止め部が形成され、この滑り止め部は摩擦の大きい面状の材質からなり、足裏部の中央より親指側寄りつまり内側寄りの位置に形成されていることを特徴とする請求項１、２、３、４または５記載の足保護具。
[７]上記足甲部の外覆と、この足甲部の先端のつま先部の外覆の材質は異なっており、このつま先部の外覆の材質は、足甲部の外覆の材質より強度が大きく、  このつま先部の外覆は、上記足裏部の外覆、かかとに沿って縦に延びるかかと部の外覆と同じ材質であることを特徴とする請求項１、２、３、４、５または６記載の足保護具。
[８]上記中体は綿状で保温作用が高く、  上記外覆、中体または内覆は、抗菌作用、乾燥作用または消臭作用もあり、  上記外覆、中体、内覆、外中体または内中体はキルティイング加工され、それぞれがずれない、または中体が外覆及び内覆に対してずれないようになっており、さらにはこのキルティイング加工によって、足保護具の丸洗いが可能である請求項１、２、３、４、５、６または７記載の足保護具。
[９]上記足甲部の上縁の足首部は環状になっていて、伸縮自在であり、この伸縮自在の足首部を開いて裏返して、清掃または光を当てて抗菌させることが可能であり、  上記外覆、中体、内覆、外中体、内中体は、可撓性を有するものである請求項１、２、３、４、５、６、７または８記載の足保護具。
[１０]上記遠赤外線による人体に対する効果は、加温効果であり、  上記中体から発せられる遠赤外線による人体に対する効果は、上記内覆から発せられる遠赤外線による人体に対する効果より、即効性で早く効果があらわれるものであり、しかも内覆から発せられる遠赤外線の量は、中体から発せられる遠赤外線の量より多く、  体温より低温では、上記中体から発せられる遠赤外線による人体に対する効果は、上記内覆から発せられる遠赤外線による人体に対する効果より上回っており、体温近くの温度では、逆に上記内覆から発せられる遠赤外線による人体に対する効果は、上記中体から発せられる遠赤外線による人体に対する効果より上回っており、  上記中体の繊維は、その表面に遠赤外線を発するセラミックスが付着され、上記内覆の繊維は、その内部に遠赤外線を発するセラミックスが内蔵され／練り込まれ、  上記中体から発せられる遠赤外線の波長は、上記内覆から発せられる遠赤外線の波長より短い若しくは長いまたは短いものまたは長いものがあり、  または上記中体から発せられる赤外線は中赤外線であり、上記内覆から発せられる赤外線は遠赤外線である請求項１、２、３、４、５、６、７、８または９記載の足保護具。
【０１２０】
【発明の効果】
以上詳述したように、本発明の足保護具は、  汚れにくい繊維で形成された外覆と、  この外覆の内側に形成された遠赤外線を発する繊維で形成された中体と、  この内覆のさらに内側または外側に形成された、上記遠赤外線より波長の短い遠赤外線を発する内覆と、を備え、  これら外覆、中体、内覆とで、上記足裏部または足甲部を構成した。
【０１２１】
したがって、中体から発生された遠赤外線が内覆で遮断されたり吸収されたりして、中体による遠赤外線による効果が低減してしまうことがない等の効果を奏する。本足保護具を使用すれば、赤血球が互いに付着しあう連鎖状態が解消され、１つ１つの赤血球がバラバラにされ、血栓などが消滅され、肺塞栓症や心筋梗塞などを引き起こすおそれはなくなる等の効果を奏する。また、航空機の狭い座席に長時間座り続けても、血栓の発生を防止でき、この結果、呼吸困難や心肺停止などの疾患を防止できて、いわゆるエコノミークラス症候群を防止することができる等の効果を奏する。なお、エコノミークラス症候群の中には長時間の座りっぱなしによる膝の動脈中にできる血栓を原因とするものがあるが、足を暖めるだけでもこのような膝の血栓の発生を防止することができる。
【図面の簡単な説明】
【図１】  足及び下腿保護具の布材の断面構造を示す。
【図２】  足及び下腿保護具の布材の断面構造を示す。
【図３】  足及び下腿保護具の外観を示す。
【図４】  足及び下腿保護具の外観を示す。
【図５】  内覆１３と最内覆１４とから発生される遠赤外線（中赤外線／超遠赤外線）の時間変化つまり温度変化を示す。
【図６】遠赤外線の各波長（横軸）当たりの内覆１３及び最内覆１４の発生する遠赤外線量（中赤外線量／超遠赤外線量）を示す。
【図７】  足及び下腿保護具を使用する前の２０代の人間の血液の状態の拡大撮影を示す。
【図８】  足及び下腿保護具を使用して６０分経過後での２０代の人間の血液の状態の拡大撮影を示す。
【図９】  足及び下腿保護具を使用する前の３０代の人間の血液の状態の拡大撮影を示す。
【図１０】  足及び下腿保護具を使用して６０分経過後での３０代の人間の血液の状態の拡大撮影を示す。
【図１１】  足及び下腿保護具を使用する前の４０代の人間の血液の状態の拡大撮影を示す。
【図１２】  足及び下腿保護具を使用して６０分経過後での４０代の人間の血液の状態の拡大撮影を示す。
【図１３】  足及び下腿保護具を使用する前の５０代の人間の血液の状態の拡大撮影を示す。
【図１４】  足及び下腿保護具を使用して６０分経過後での５０代の人間の血液の状態の拡大撮影を示す。
【図１５】  足保護具の足裏部１の布材の断面構造を示す。
【図１６】  足保護具の外観を示す。
【図１７】  足保護具の下面（底面）を示す。
【図１８】  内中体２５のホルムアルデヒドにおける消臭効果を示す。
【図１９】  内中体２５のアンモニアにおける消臭効果を示す。
【符号の説明】
１…足裏部、２…かかと部、３…足甲部、４…下腿部、５…縁覆い、６…換気穴、７…開閉部、１１…外覆、１２…中体、１３…内覆、１４…最内覆、２１…外覆、２２…外中体、２３…中体、２４…内覆、２５…内中体、２６…つま先部、２７…滑り止め部、２８…かかと引き上げ部、２９…足首部。
【図１】
0003979935.tif 000002
【図２】
0003979935.tif 000003
【図３】
0003979935.tif 000004
【図４】
0003979935.tif 000005
【図５】
0003979935.tif 000006
【図６】
0003979935.tif 000007
【図７】
0003979935.tif 000008
【図８】
0003979935.tif 000009
【図９】
0003979935.tif 000010
【図１０】
0003979935.tif 000011
【図１１】
0003979935.tif 000012
【図１２】
0003979935.tif 000013
【図１３】
0003979935.tif 000014
【図１４】
0003979935.tif 000015
【図１５】
0003979935.tif 000016
【図１６】
0003979935.tif 000017
【図１７】
0003979935.tif 000018
【図１８】
0003979935.tif 000019
【図１９】
0003979935.tif 000020